(57)【要約】【課題】視聴履歴あるいは録画履歴に基づいて登録される自動受信対象番組情報のメンテナンスを簡素に実行できるようにする。【解決手段】視聴履歴あるいは録画目履歴に基づいて番組情報記憶部２４に自動受信対象番組として登録されている番組が、自動受信される度に、その番組を自動受信対象番組としての登録を継続するか否かを含むメッセージを表示部１７の画面に表示して、ユーザに登録を削除するかしないかの選択を行なわせるように構成し、削除すると選択されたら番組情報を番組情報記憶部２４から削除するる。【選択図】　　　図１
2004032622.tif 000002
【特許請求の範囲】
【請求項１】
定期的に放送される番組が複数放送回に亘って視聴された際に当該番組を自動受信対象番組として特定する手段と、
前記特定された自動受信対象番組の番組情報を記憶する記憶手段と、
前記記憶手段に記憶された自動受信対象番組の番組情報に基づいて、番組を自動的に受信する受信手段と、
前記受信手段で受信された番組に対して、番組情報の前記記憶手段への記憶を継続するか否かのメッセージ出力する手段と、
前記メッセージに対する回答を入力する手段と、
前記入力手段から前記記憶手段への前記記憶を継続しない回答が入力された際に前記記憶手段に記憶されている自動受信対象番組の番組情報を消去する手段と、
を具備したことを特徴とする放送番組受信装置。
【請求項２】
定期的に放送される番組が複数放送回に亘って視聴された際に当該番組を自動受信対象番組として特定する手段と、
前記特定された自動受信対象番組の番組情報を記憶する記憶手段と、
前記記憶手段に記憶された自動受信対象番組の番組情報に基づいて、番組を自動的に受信する受信手段と、
前記受信手段で受信された番組に対して、引き続いて受信するか否か及び番組情報の前記記憶手段への記憶を継続するか否かを含む複数の選択項目のメッセージを表示する手段と、
前記メッセージの選択項目に対する回答を入力する手段と、
前記入力手段から回答が入力された際に、入力された選択項目の表示を消去する手段と、
を具備したことを特徴とする放送番組受信装置。
【請求項３】
定期的に放送される番組が複数放送回に亘って視聴された際に当該番組を自動受信対象番組として特定する手段と、
前記特定された自動受信対象番組の番組情報を記憶する記憶手段と、
前記記憶手段に記憶された自動受信対象番組の番組情報に基づいて、番組を自動的に受信する受信手段と、
前記受信手段で受信された番組に対して、当該番組を録画するか否か及び番組情報の前記記憶手段への記憶を継続するか否かを含む複数の選択項目のメッセージを表示する手段と、
前記メッセージの選択項目に対する回答を入力する手段と、
前記入力手段から前記受信した番組を録画するとの回答が入力された際に、当該番組を視聴したとみなして、視聴回数を増加させる手段と、
を具備したことを特徴とする放送番組受信装置。
【請求項４】
定期的に放送される番組が複数放送回に亘って視聴された際に当該番組を自動受信対象番組として特定する手段と、前記特定された自動受信対象番組の番組情報を記憶する記憶手段と、前記記憶手段に記憶された自動受信対象番組の番組情報に基づいて、番組を自動的に受信する受信手段と、前記受信手段で受信された番組に対して、当該番組を録画手段で録画するか否か及び番組情報の前記記憶手段への記憶を継続するか否かのメッセージ情報を出力する手段と、前記メッセージを伝送する手段を具備した受信機と、
前記受信機とは別体に設けられ、前記伝送されたメッセージを受信して表示する手段と、表示されたメッセージに対する回答を入力する手段と、入力された回答に基づく情報を伝送する手段を備えた端末機と、でなり、さらに前記受信機は、前記端末機から伝送される情報に基づいて受信番組の録画の管理及び前記記憶手段への前記番組情報の記憶の管理を有したことを特徴とする放送番組受信装置。
【請求項５】
前記メッセージの出力を、前記記憶手段に記憶された番組の受信開始前に行なうことを特徴とする請求項１乃至４のいずれかに記載の放送番組受信装置。
【請求項６】
定期的に放送される番組が複数放送回に亘って視聴された際に当該番組を自動受信対象番組として特定するステップと、
前記特定された自動受信対象番組の番組情報を記憶手段に記憶するステップと、
前記記憶手段に記憶された自動受信対象番組の番組情報に基づいて番組を自動的に受信するステップと、
前記受信手段で受信された番組に対して、番組情報の前記記憶手段への記憶を継続するか否かのメッセージ出力するステップと、
前記メッセージに対する回答を入力するステップと、
前記入力手段から前記記憶手段への前記記憶を継続しない回答が入力された際に前記記憶手段に記憶されている自動受信対象番組の番組情報を消去するステップと、
を具備したことを特徴とする放送番組受信方法。
【請求項７】
定期的に放送される番組が複数放送回に亘って視聴された際に当該番組を自動受信対象番組として特定するステップと、
前記特定された自動受信対象番組の番組情報を記憶手段に記憶するステップと、
前記記憶手段に記憶された自動受信対象番組の番組情報に基づいて、番組を自動的に受信するステップと、
前記受信手段で受信された番組に対して、引き続いて受信するか否か及び番組情報の前記記憶手段への記憶を継続するか否かを含む複数の選択項目のメッセージを表示するステップと、
前記メッセージの選択項目に対する回答を入力するステップと、
前記入力手段から回答が入力された際に、入力された選択項目の表示を消去するステップと、
を具備したことを特徴とする放送番組受信方法。
【請求項８】
定期的に放送される番組が複数放送回に亘って視聴された際に当該番組を自動受信対象番組として特定するステップと、
前記特定された自動受信対象番組の番組情報を記憶手段に記憶するステップと、
前記記憶手段に記憶された自動受信対象番組の番組情報に基づいて、番組を自動的に受信するステップと、
前記受信手段で受信された番組に対して、当該番組を録画するか否か及び番組情報の前記記憶手段への記憶を継続するか否かを含む複数の選択項目のメッセージを表示するステップと、
前記メッセージの選択項目に対する回答を入力するステップと、
前記入力手段から前記受信した番組を録画するとの回答が入力された際に、当該番組を視聴したとみなして、視聴回数を増加させるステップと、
を具備したことを特徴とする放送番組受信方法。
【発明の詳細な説明】
【０００１】
【発明の属する技術分野】
本発明は、放送番組の過去の視聴履歴、あるいは録画履歴に基づいて自動的に放送番組を受信するようにした放送番組受信装置及び受信方法に関し、受信番組の選択をより細かく設定することができるようにした放送番組受信装置及び放送番組受信方法に関する。
【０００２】
【従来の技術】
従来、ユーザの視聴履歴あるいは、録画履歴に基づいて、ユーザが頻繁に視聴している番組の放送時間になったらその番組を自動的に受信して視聴に供するようにした装置が提案されている。このように構成された受信機によれば、ユーザは、受信機の側にいる限りいつも視聴している番組を忘れることなく視聴することができる。
【０００３】
通常、自動受信される番組は、毎週あるいは毎日継続して放送される番組であり、自動受信の対象する番組は、ユーザ自身が入力して登録したものの他、過去の視聴履歴、あるいは録画履歴に基づいて、自動的に対象番組として登録されるようにした装置も存在する。
【０００４】
過去の視聴履歴は、例えば２回以上同じ番組を視聴した場合に、自動的に登録したり、録画した番組を自動的に自動受信番組として登録するように構成されている。
このような装置は、特開２０００−１９６９７０号公報、特開２００１−３６８４６号公報に記載されている。
自動受信対象番組としての登録は、期間が長くなればそれだけ、ユーザの嗜好の特徴が明確に表れて、好ましい受信が行なえるようになるが、登録される番組データの数も膨大になり、そのメンテナンスが極めて重要になってくる。
前述の文献には、そのような登録済みの番組情報のメンテナンスに関しては何ら記載されていない。
本発明は、以上の点に対処してなされたものであって、番組を受信するたびに、ユーザがメンテナンスを実行できるように構成することにより、確実に重要な番組情報のみを自動受信対象番組として登録しておくことができる受信装置を提供することを目的とする。
【０００５】
【発明が解決しようとする課題】
以上のように、従来、視聴履歴、録画履歴に基づいて、自動受信すべき番組を登録するようにした装置においては、番組の量が膨大となり、不要な番組まで、自動的に受信するように動作してしまうという問題が発生する可能性があり、改善が要望されている。
【０００６】
本発明は、以上の点に対処してなされたものであって、番組を受信する毎に、自動受信対象番組として登録するか否かをユーザが設定することができるように構成することで、上記目的を達成するようにした放送番組受信装置及び受信方法を提供することを目的とする。
【０００７】
【課題を解決するための手段】
本発明の放送番組受信装置は、定期的に放送される番組が複数放送回に亘って視聴された際に当該番組を自動受信対象番組として特定する手段と、前記特定された自動受信対象番組の番組情報を記憶する記憶手段と、前記記憶手段に記憶された自動受信対象番組の番組情報に基づいて、番組を自動的に受信する受信手段と、前記受信手段で受信された番組に対して、番組情報の前記記憶手段への記憶を継続するか否かのメッセージ出力する手段と、前記メッセージに対する回答を入力する手段と、前記入力手段から前記記憶手段への前記記憶を継続しない回答が入力された際に前記記憶手段に記憶されている自動受信対象番組の番組情報を消去する手段とを具備したことを特徴とする。
【０００８】
本発明によれば、自動受信の度に、その登録を継続するか否かの問い合わせがなされ、不要な場合はその時点で登録を削除することができるため、登録番組のメンテナンスを簡潔に行なうことができる。
本発明の放送番組の受信方法は、定期的に放送される番組が複数放送回に亘って視聴された際に当該番組を自動受信対象番組として特定するステップと、前記特定された自動受信対象番組の番組情報を記憶手段に記憶するステップと、前記記憶手段に記憶された自動受信対象番組の番組情報に基づいて番組を自動的に受信するステップと、前記受信手段で受信された番組に対して、番組情報の前記記憶手段への記憶を継続するか否かのメッセージ出力するステップと、前記メッセージに対する回答を入力するステップと、前記入力手段から前記記憶手段への前記記憶を継続しない回答が入力された際に前記記憶手段に記憶されている自動受信対象番組の番組情報を消去するステップとを具備したことを特徴とする。
【０００９】
本発明によれば、自動受信の度に、その登録を継続するか否かの問い合わせがなされ、不要な場合はその時点で登録を削除することができるため、登録番組のメンテナンスを簡潔に行なうことができる。
【００１０】
【発明の実施の形態】
以下、図面を参照して本発明の実施の形態を詳細に説明する。
図１は、本発明の放送番組受信装置の一実施の形態を示すブロック図である。図１において、放送番組受信装置１０は、入力端子１１を有し、図示しないアンテナからのデジタル放送信号が供給される。入力端子１１はチューナ／復調部１２に接続され、ここで放送信号は、所定のチャンネルが選局され、さらに復調され、ＴＳ（Ｔｒａｎｓｐｏｒｔ　Ｓｔｒｅａｍ）信号として出力される。
【００１１】
チューナ／復調部１２からのＴＳ信号は、ＤＥＭＵＸ（デマルチプレクサ）１３に供給されて、ここで選択したチャンネルの放送番組を構成するデータが分離抽出され、デコーダ１４に供給されて、ＭＰＥＧ（Ｍｏｖｉｎｇ　Ｐｉｃｔｕｒｅ　Ｅｘｐｅｒｔｓ　Ｇｒｏｕｐ）の復号が行なわれ、復号されたデジタル映像信号は重畳処理部１５に導出される。重畳処理部１５で、映像信号に対して必要に応じて記号、表等のグラフィックスが多重されて、映像表示部１６に導出され、ここでアナログ信号への変換等の処理が施され、表示部１７で表示される。
【００１２】
また、音声信号も、デコーダ１４でＭＰＥＧの復号が行なわれ、復号されたデジタル音声信号は声処理部１８でアナログ信号への変換等の処理が施され、通常スピーカで構成される音声出力部１９から出力される。
受信装置１０は、さらに番組を構成するデータを記録し、再生するため、記録再生部２０と記録媒体２１を備えおり、ＤＥＭＵＸ１３からのＴＳ信号を記録し、再生するように動作する。
ＤＥＭＵＸ１３、記録再生部２０は、制御部２２によって制御され、録画番組データの抽出と、記録媒体２１の起動が制御される。制御部２２には、入力部２３が接続され、この入力部２３を介してユーザからの指示が制御部２２に伝えられるように構成されている。
【００１３】
すなわち、入力部２３は例えば、図示しないリモコンハンドユニットからのリモコン信号を受けて、それを制御部２２に供給するように構成されている。あるいは入力部２３は、受信機１０の筐体前面に、ユーザが操作できるように設けられた複数のスイッチとして構成することができる。
【００１４】
さらに、受信機１０は、自動受信の対象となる番組情報を記憶するための番組情報記憶部２４を備え、制御部２２を介して番組情報を受けてこれを記憶すると共に、記憶した番組情報を制御部２２に出力する。
またさらに、受信機１０は電源回路２５を備え、入力部２３からの電源オンオフ信号に基づき、制御部２２を介して電源のオンオフが制御される。
以上のように、構成された受信機において、番組の視聴を行なう場合には、ユーザは入力部２３から制御部２２に対して、チャンネル選局を行なわせるべく指示を与える。これによって、制御部１２は、チューナ／復調部１２を駆動して、ユーザから入力されたチャンネル番号の選局を行い、復調してＴＳ信号を出力する。
【００１５】
ＴＳ信号は、デコーダ１４でＭＰＥＧ復号され、映像信号が重畳処理部１５、映像信号処理部１６を介して表示部１７に供給され、音声信号は、音声処理部１８を介して音声出力部　　　１９に供給され、出力される。
制御部２２は、ユーザによって選局された番組の評価を実行し、必要なデータを入手する。すなわち、デジタル放送においては、番組を構成する映像及び音声データの他に、付加情報が多重伝送されており、付加情報の中に番組の放送日、チャンネル情報、番組タイトル、放送開始時刻、終了時刻等の情報が含まれており、制御部２２は、ＤＥＭＵＸ１３を介してそれらの情報を分離抽出して、内部に備えられたメモリに記憶する。
【００１６】
さらに、制御部２２は、記憶された番組情報に基づき、その番組が放送終了まで視聴されたか否か判別して、放送終了まで視聴された際に、その番組情報を、番組情報記憶部２４の記憶済みの番組情報と比較し、同じ番組の情報がなければ、候補番組として視聴回数１のフラグを付して番組情報記憶部２４に記憶する。放送終了まで視聴されなかった場合には、何ら処理は行なわれない。
【００１７】
このように、制御部２２は、放送終了まで視聴された番組が存在した毎に、番組情報記憶部２４の記憶内容と比較し、同じ番組が記憶されていたら、視聴回数を１増加させる。
番組情報記憶部２４への番組情報の記憶処理過程を図２のフローチャートに示す。
ステップ２ａで開始され、ステップ２ｂでチャンネルが切換えられてその番組が視聴される。ステップ２ｃで、その番組が放送終了まで視聴されたか否かが判定され、放送終了まで視聴されなかったら、ステップ２ｂに戻る。
ステップ２ｃで放送終了まで視聴されたことが判定されたら、ステップ２ｄでその番組情報と、番組情報記憶部２４に記憶済みの番組情報を比較し、ステップ２ｅで同じ番組情報が記憶済みであるか否かの判定がなされ、同じ番組が記憶されていなかったら、ステップ２ｆで番組情報を視聴回数１回の情報と共に番組情報記憶部２４に記憶させる。
【００１８】
ステップ２ｆで同じ番組情報が記憶されていたら、その番組情報の視聴回数を１増加させる。
そのようにして、番組情報記憶部２４に、２回以上視聴した番組を自動受信対象番組として順次記憶していく。
さて、そのように番組情報記憶部２４に記憶された番組情報は、制御部２２に設けられた図示しないカレンダー及び時計情報生成部からの情報と常に比較され、例えば該当する番組の放送曜日及び放送時間になると、制御部２２が受信機の電源がオフされていれば、これをオンに切換え、受信機内の各回路を働かせてその番組情報のチャンネルの視聴を行うように制御する。
【００１９】
それによって、受信した番組の映像が表示部１７で表示されるが、制御部２２はさらに、この番組の扱いをどうするかという問いをユーザに示すためのメッセージを生成して、重畳部１５に送り映像信号に重畳して表示させる。
すなわち、図３に示すように、表示部１７の表示画面３０に「この番組の登録を削除する／しない」３１、「この番組を視聴する／しない」３２あるいは「この番組を録画する／しない」３３の問い合わせのメッセージを表示させる。
ユーザは、例えば図示しないリモコンハンドユニットのカーソルキーと、決定キーを操作して、カーソル３４によって画面上で希望する項目を選択して決定キーを押すとその項目が登録される。所定時間キー操作が行われないと、メッセージは消去される。
【００２０】
ユーザが、「この番組の登録を削除する」を選択すると、表示されている番組の番組情報記憶部２４に記憶されている番組情報が削除される。また、削除させない場合は、「しない」を選択しておく。なお、この「削除する／しない」の項目を選択するとそれに関する項目の表示３１が消され、削除するかしないかに関する操作が再び実行されないようにする。
【００２１】
また、「この番組を視聴する」を選択すると、その番組の受信が継続して行なわれる。また、「この番組を視聴しない」を選択すると、後述する「録画する」が選択されない限り、制御部２２によって受信機１０の電源をオフするように制御する。
【００２２】
「この番組を視聴する／しない」を選択することでそれに関する項目の表示３２が消され、視聴するかしないかに関する項目の表示３２が消され、視聴するかしないかに関する操作が再び実行されないようにする。
さらに、「この番組を録画する」を選択すると、その番組の受信が引き続き行なわれ、「番組を視聴する」が選択されていれば、表示部１７での映像表示と音声出力部１９からの音声出力が継続される。
「この番組を録画しない」が選択されると、「番組を視聴する」が選択されていない限り、制御部２２によって受信機１０の電源がオフされる。
「この番組を録画する／しない」を選択することでそれに関する項目の表示３３が消去され、録画するかしないかに関する操作が再び実行されないようにする。
「この番組を視聴する」を選択して、放送終了まで視聴した場合に番組情報記憶部２４の視聴回数を１増加させる。また「この番組を録画する」を選択したことで、その番組を放送終了まで視聴したとみなして、番組情報記憶部２４の視聴回数を増加するようにする。
【００２３】
以上の動作を図４及び図５のフローチャートでさらに説明する。
図４において、ステップ５ａで開始され、ステップ５ｂで時刻の監視が行なわれ、ステップ５ｃで番組情報記憶部２４に記憶された自動受信対象番組の放送開始時刻になったか否かの判別がなされる。放送開始時刻になったら、ステップ５ｄでその番組の受信と、映像及び音声の出力が行なわれ、ステップ４ｅで全てのユーザ選択項目が画面表示される。
【００２４】
次に、ステップ４ｆで、ユーザによる選択入力があったか否かが判定され、ユーザが選択入力を行なわなかった場合、ステップ４ｇで一定時間経過したか否かが判定され、ユーザによる選択入力が行なわれないまま一定時間経過したら、ステップ４ｈで表示された選択項目の表示が消去され、ステップ４ｉで受信番組がそのまま視聴される。さらにステップ４ｊでその番組が放送終了まで視聴されたか否かが判定され、放送終了まで視聴された場合には、ステップ４ｋでその番組の番組情報記憶部２４中の視聴回数情報を１増加させ、放送終了まで視聴されなかったらステップ４ｌで視聴回数情報を増加させない。
【００２５】
ステップ４ｆで選択入力が行なわれたことが判定され、それが番組情報の登録を「削除する」選択であった場合、ステップ４ｍでそれが判定され、次いでステップ４ｎで登録の削除が行なわれ、ステップ４ｏで削除項目の表示を消去する。次いで、ステップ４ｐで、「削除する」が選択された以降ユーザからの選択入力があったか否が判定され、選択入力がなかったらステップ４ｇに移る。
【００２６】
ステップ４ｍで選択された項目が「削除する」でないことが判定されると、ステップ４ｑに移り、「削除しない」が選択されたことが判定されると、ステップ４ｏに移る。
ステップ４ｐで選択入力がなかったこと、及びステップ４ｑで削除しないが選択されなかったことが判定されると、図５のＡに移る。
図５のフローチャートは、Ａからの処理となり、ステップ５ａ１で選択入力が「見る」であったか否かが判定され、「見る」が選択されたと判定された場合には、ステップ５ａ２で、表示部１７で表示されている選択項目のうち、見る、見ないに関する「視聴」に関する項目３２の表示を消去し、その後の視聴関係の選択を禁止する。次にステップ５ａ３で番組の視聴を継続し、ステップ５ａ４で、ユーザの選択入力があったか否かが判定され、「見る」が選択されて以降、ユーザの選択がなされない場合には、図４のフローチャートのＢに移る。
【００２７】
ステップ５ａ４で選択入力があった場合、ステップ５ａ５で、表示部１７の録画に関する表示項目３３を消去し、ステップ５ａ６で選択された項目が「録画する」であったか否かが判定され、「録画する」でなかった場合、図４のフローチャートＢに移る。
【００２８】
ステップ５ａ６で「録画する」が選択されたと判定すると、ステップ５ａ７でその番組の録画が実行され、ステップ５ａ７で、番組情報記憶部２４に記憶されている番組の視聴回数を１増やし、ステップ５ａ８で視聴を継続する。
ステップ５ａ１で、「見る」が選択されなかったことが判定されると、ステップ５ｂ１に移り、ここで「見ない」が選択されたことが判定されると、ステップ５ｂ２で表示部１７で表示されている選択項目のうち、視聴に関する項目の表示を削除し、さらにステップ５ｂ３で受信機１０の受信映像出力及び音声出力を停止する。すなわち、図１のに示す受信機１０のデコーダ１４以降の段を非動作状態とする。
【００２９】
次いで、ステップ５ｂ４で、「見ない」が選択された以降、選択入力があったか否かが判定され、選択入力があった場合、表示部１７で表示されている録画に関する項目３３の表示を削除する。次にステップ５ｂ６で、選択されたのが「録画する」であるか否かの判定がなされ、「録画する」が選択されたと判定された場合、ステップ５ｂ７で録画が実行され、ステップ５ｂ８で登録番組の視聴回数を１増やす。
【００３０】
ステップ５ｂ４で選択入力がなかったことが判定された場合、及びステップ５ｂ６で「録画する」が選択されなかった場合、ステップ５ｂ９において制御部２２が受信機１０の電源回路２５をオフして、受信機１０のチューナ１２を含めた全体の動作を停止させる。
【００３１】
ステップ５ｂ１で「見ない」が選択されなかったことが判定された場合、録画に関する項目が選択されたことになるため、ステップ５ｃ１で、表示部１７で表示されている録画に関する表示項目３３の表示を消し、次いで、ステップ５ｃ２で「録画する」が選択されたか否かの判定が行なわれ、「録画する」が選択されたことが判定されると、ステップ５ｃ３で録画が実行され、ステップ５ｃ４で登録番組の視聴回数を１増やす。
【００３２】
次いで、ステップ５ｃ５で、「録画する」が選択されて以降、ユーザの選択入力があったか否かの判定がなされ、選択入力があったことが判定されると、これは「見る、見ない」の視聴に関する選択であるとして、ステップ５ｃ６で表示部１７の視聴に関する表示項目３２を消去する。
【００３３】
次いで、ステップ５ｃ７で「見る」が選択されたか否かが判定され、「見る」選択されたと判定された場合、図４のフローチャートのＣに移る。ステップ５ｃ５で選択入力がなかったと判定された場合、及びステップ５ｃ７で「見る」が選択されなかったことが判定された場合には、ステップ５ｃ８で、受信機１０のデコーダ１４以降の段の動作を停止し、録画のみが行なわれるようにする。
【００３４】
ステップ５ｃ２で、選択された項目が「録画する」でなかった場合、これは「録画しない」が選択されたことであり、ステップ５ｄ１でそれ以降選択入力があったか否かが判定され、選択入力があった場合、「見る、見ない」の視聴に関するものであるとして、ステップ５ｄ２で、表示部１７の視聴に関する表示項目３２を消去し、次いで、ステップ５ｄ３で「見る」が選択されたか否かの判定がなされ、「見る」が選択された場合には、図４のフローチャートＣに移る。
【００３５】
ステップ５ｄ３で「見る」が選択されなかったことが判定されるとステップ５ｄ４で受信機の電源がオフされる。
以上のように、図１〜図５に基づいて説明した実施の形態によれば、番組情報記憶部２４に対象番組として登録された番組が受信される度に、画面に、登録削除の要否、視聴の要否、録画の要否を問うメッセージを表示して、ユーザに選択を促すように構成したので、不要な番組の登録を簡単に削除することができるため、番組情報記憶部２４の記憶データを必要なもののみとすることができ、使い勝手が向上するものである。
【００３６】
なお、図１〜図５で説明した、実施の形態では、対象となる放送番組の放送開始時刻に合せて、受信機１０を起動するように動作するものとして説明したが、放送開始の所定時間前に、メッセージを表示するようにすれば、例えば、録画を行なう場合などには、放送開始直後の部分の録画が欠けてしまうということはなくなる。
【００３７】
図６は、放送開始前に、対象となる番組のリストと、選択項目を表示部１７に表示させた例である。
図６において、最初の２行に、現在の日付と時刻（平成１４年６月１０日（月）１９：５７分）と、リストの番組の放送がまもなく開始される表示がなされ、次に、自動受信の対象となっている番組のうち、２０：００から放送が開始される番組のリストが表示される。次に、ユーザに選択させる項目６３が表示されており、ユーザに選択させる項目は、図３の例と同一である。
【００３８】
番組リストから番組の選択は、カーソル６４によって行い、リモコンハンドユニットのカーソルキーと決定キーで行なう。番組の選択後、カーソルがユーザ選択項目６３に移り、図３の例で説明したと同様な操作手順によって、選択が実行される。
【００３９】
図７は、本発明の受信機の他の実施の形態を示すブロック図である。
図７において、図１の実施の形態と同じ構成部分に同じ番号を付して詳細な説明は省略する。
図７に示す実施の形態では、番組情報記憶部２４に記憶した番組情報を、通信手段７１によって外部端末７２に伝送し、外部端末７２によって、選択項目の選択が行なわれるように構成したものである。
図８に外部端末７２の表示部に表示されたメッセージの例を示す。
この場合、外部端末７２が受信機１０から離れた位置にあることから、番組の視聴に関する項目は省略され、登録を削除するかしないか、録画するかしないかの選択項目になる。
すなわち、図８に示すように、表示画面８０の最初の行に、自動受信された番組名８１が表示され、次に選択項目である登録削除する、しない、録画する、しないの表示８２がなされ、カーソル８３によって、選択されるように構成されている。
以上述べたように、本発明によれば、ユーザの過去の視聴履歴、録画履歴に基づいて、自動受信番組として登録され番組を、受信する都度、その管理をユーザに問い合わせるようにしたので、ユーザは不要な番組の登録を確実に削除することができるため、使い勝手が向上するものである。
【００４０】
【発明の効果】
本発明によれば、ユーザの視聴履歴あるいは録画履歴に基づいて、登録された自動受信対象番組を受信する度に、ユーザに、登録を継続するか選択させるように構成したので、不要な番組情報が登録されることなく、自動受信対象番組の管理が簡潔で的確に行なえるようになるものである。
【図面の簡単な説明】
【図１】本発明に係る、放送番組受信装置の一実施の形態を示すブロック図
【図２】図１に示す装置の動作を説明するためのフローチャート。
【図３】図１に示す装置の動作を説明するための図。
【図４】図１に示す装置の動作を説明するためのフローチャート。
【図５】図１に示す装置の動作を説明するためのフローチャート。
【図６】図１に示す装置の動作を説明するための図。
【図７】本発明に係る放送番組受信装置の他の実施の形態を示すブロック図。
【図８】図７に示す装置の動作を説明するための図。
【符号の説明】
１１…入力端子
１２…チューナ／復調部
１３…ＤＥＭＵＸ（デマルチプレクサ）
１４…デコーダ
１５…重畳処理部
１６…映像信号出力部
１７…表示部
１８…音声信号処理部
１９…音声出力部
２０…記録再生部
２１…記録媒体
２２…制御部
２４…番組情報記憶部
２５…電源回路
７１…通信手段
７２…外部端末
【図１】
2004032622.tif 000003
【図２】
2004032622.tif 000004
【図３】
2004032622.tif 000005
【図４】
2004032622.tif 000006
【図５】
2004032622.tif 000007
【図６】
2004032622.tif 000008
【図７】
2004032622.tif 000009
【図８】
2004032622.tif 000010